(57)【要約】【課題】デートプランを媒介として恋愛対象者同士をマッチングする技術を提供する。【解決手段】本発明は、デートプランを含む入札を受け付ける受付部１１ａと、入札に係るデートプランを入札対象者に提示する入札処理部１１ｂと、入札対象者の選択に基づいて落札者を決定する決定部１１ｃと、決定を受けて前記デートプランを評価する評価部１１ｄとを備えたサーバ装置である。受付部１１ａは、デートプランに替えてプレゼントの提供を含む入札を受け付け、入札処理部１１ｂは、デートプランに替えてプレゼントの提供を入札対象者に提示してもよい。また、決定部１１ｃによる決定を受けて電子決済を行う決済部１１ｆを更に備えてもよい。【選択図】図２
2020098397.tif 000002
【特許請求の範囲】
【請求項１】
デートプランを含む入札を受け付ける受付部と、
前記入札に係るデートプランを入札対象者に提示する入札処理部と、
前記入札対象者の選択に基づいて落札者を決定する決定部と、
前記決定を受けて前記デートプランを評価する評価部と、を備えた
サーバ装置。
【請求項２】
前記受付部は、前記デートプランに替えてプレゼントの提供を含む入札を受け付け、
前記入札処理部は、前記デートプランに替えて前記プレゼントの提供を入札対象者に提示することを特徴とする
請求項１に記載のサーバ装置。
【請求項３】
前記決定部による決定を受けて電子決済を行う決済部を更に備えた
請求項１又は請求項２に記載のサーバ装置。
【請求項４】
入札者の端末装置と、入札対象者の端末装置と、サーバ装置と、からなる情報処理システムであって、
前記サーバ装置は、
前記入札者の端末装置によるデートプランを含む入札を受け付ける受付部と、
前記入札に係るデートプランを前記入札対象者の端末装置に提示する入札処理部と、
前記入札対象者の端末装置での選択に基づいて落札者を決定する決定部と、
前記決定を受けて前記デートプランを評価する評価部と、を備える
情報処理システム。
【請求項５】
前記受付部は、前記デートプランに替えてプレゼントの提供を含む入札を受け付け、
前記入札処理部は、前記デートプランに替えて前記プレゼントの提供を入札対象者に提示することを特徴とする
請求項４に記載の情報処理システム。
【請求項６】
前記決定部による決定を受けて電子決済を行う決済部を更に備えた
請求項４又は請求項５に記載の情報処理システム。
【請求項７】
入札者の端末装置と、入札対象者の端末装置と、サーバ装置と、からなる情報処理システムによる方法であって、
前記サーバ装置が、
前記入札者の端末装置によるデートプランを含む入札を受け付け、
前記入札に係るデートプランを前記入札対象者の端末装置に提示し、
前記入札対象者の端末装置での選択に基づいて落札者を決定し、
前記決定を受けて前記デートプランを評価する
情報処理方法。
【請求項８】
コンピュータを、
デートプランを含む入札を受け付ける受付部と、
前記入札に係るデートプランを入札対象者に提示する入札処理部と、
前記入札対象者の選択に基づいて落札者を決定する決定部と、
前記決定を受けて前記デートプランを評価する評価部と、して機能させる
プログラム。
【発明の詳細な説明】
【技術分野】
【０００１】
本発明は、デートプランを媒介として恋愛のマッチングを支援する技術に関する。
【背景技術】
【０００２】
従来、インターネット等のネットワークを活用したシステムにより、恋愛対象者同士のコミュニケーションやマッチングを支援する種々の技術が提案されている。
【０００３】
ここで、例えば、特許文献１では、お互いが電話等の直接のコミュニケーションを取ることなく、お互いの気持ちを相手に伝え、知りたい時に相手の気持ちを知ることができる新しい恋愛チェッカーシステムが開示されている。
【先行技術文献】
【特許文献】
【０００４】
【特許文献１】特願２０１４−０６３４０７号公報
【発明の概要】
【発明が解決しようとする課題】
【０００５】
しかしながら、特許文献１に開示されたものは、デートプランを媒介として、恋愛対象者同士をマッチングするものではない。
【０００６】
本発明は、このような課題に鑑みてなされたものであり、その目的とするところは、デートプランを媒介として恋愛対象者同士をマッチングすることにある。
【課題を解決するための手段】
【０００７】
上記課題を解決するため、本発明の一態様に係るサーバ装置は、デートプランを含む入札を受け付ける受付部と、前記入札に係るデートプランを入札対象者に提示する入札処理部と、前記入札対象者の選択に基づいて落札者を決定する決定部と、前記決定を受けて前記デートプランを評価する評価部と、を備えている。
【０００８】
本発明の他の態様に係る情報処理システムは、入札者の端末装置と、入札対象者の端末装置と、サーバ装置と、からなる情報処理システムであって、前記サーバ装置は、前記入札者の端末装置によるデートプランを含む入札を受け付ける受付部と、前記入札に係るデートプランを前記入札対象者の端末装置に提示する入札処理部と、前記入札対象者の端末装置での選択に基づいて落札者を決定する決定部と、前記決定を受けて前記デートプランを評価する評価部と、を備えている。
【０００９】
本発明の他の態様に係る情報処理方法は、入札者の端末装置と、入札対象者の端末装置と、サーバ装置と、からなる情報処理システムによる方法であって、前記サーバ装置が、前記入札者の端末装置によるデートプランを含む入札を受け付け、前記入札に係るデートプランを前記入札対象者の端末装置に提示し、前記入札対象者の端末装置での選択に基づいて落札者を決定し、前記決定を受けて前記デートプランを評価する。
【００１０】
本発明の他の態様に係るプログラムは、コンピュータを、デートプランを含む入札を受け付ける受付部と、前記入札に係るデートプランを入札対象者に提示する入札処理部と、前記入札対象者の選択に基づいて落札者を決定する決定部と、前記決定を受けて前記デートプランを評価する評価部と、して機能させる。
【発明の効果】
【００１１】
本発明によれば、デートプランを媒介として恋愛対象者同士をマッチングする技術を提供することができる。
【図面の簡単な説明】
【００１２】
【図１】本発明の一実施形態に係る情報処理システムの構成図である。
【図２】同システムにおけるサーバ装置の構成図である。
【図３】同システムにおける端末装置の構成図である。
【図４】同システムの入札に係る処理手順を示すフローチャートである。
【図５】入札対象者を示す画面の表示例である。
【図６】入札対象者の詳細を示す画面の表示例である。
【図７】申し込み画面の表示例である。
【図８】支払方法の選択画面の表示例である。
【図９】申し込み画面の表示例である。
【図１０】デートプラン選択の選択画面の表示例である。
【図１１】同システムの落札に係る処理手順を示すフローチャートである。
【図１２】入札者を示す画面の表示例である。
【発明を実施するための形態】
【００１３】
以下、図面を参照しつつ本発明の一実施形態について説明する。
【００１４】
図１には、本発明の一実施形態に係る情報処理システムの構成を示し説明する。
【００１５】
同図に示されるように、本実施形態に係る情報処理システムは、サーバ装置１と、入札者の端末装置２と、入札対象者の端末装置３と、で構成されている。サーバ装置１は、端末装置２，３とインターネット等の通信網を介して無線又は有線で接続されている。端末装置２，３としては、スマートフォン、タブレット端末、ノート型パーソナルコンピュータ、ＰＤＡ（Personal Digital Assistant）等、各種のものを採用することができる。
【００１６】
このような構成において、入札者の端末装置２は、デートプランを立案又は選択した上で当該デートプランを含む入札を行う。この入札情報は、サーバ装置１で受信され、受付けられた後、入札処理が実行される。この入札処理により、入札対象者にデートプランを提示すべく、表示データが生成又は更新され、端末装置３に送信される。入札対象者の端末装置３では、入札の行われた全てのデートプランが表示される。そして、端末装置３にてデートプランの選択が行われると、選択情報がサーバ装置１に送信され、サーバ装置１では落札の決定を行う。その後、落札に伴う決済が必要な場合には、端末装置２による決済指示に基づいて、サーバ装置１が電子決済処理を行う。
【００１７】
図２には、本発明の一実施形態に係る情報処理システムにおけるサーバ装置の構成を詳細に示し説明する。
【００１８】
同図に示されるように、サーバ装置１は、全体の制御を司る制御部１１と、通信部１２と、記憶部１３と、を含む。そして、制御部１１は、通信部１２、記憶部１３と接続されている。制御部１１は、ＣＰＵ（Central Processing Unit）やＭＰＵ（Microprocessor Unit）等で構成されている。
【００１９】
通信部１２は、例えば、ネットワークインタフェースカード（NIC；Network Interface Card）等により実現されるもので、インターネット等の通信網４と有線又は無線で接続され、端末装置２、３等との間で通信を行う通信インタフェースである。
【００２０】
そして、記憶部１３は、例えばＲＡＭ（Random Access Memory）やフラッシュメモリ（Flash Memory）等の半導体メモリ素子、ハードディスクドライブ（HDD；Hard Disc Drive）、または光ディスク装置等で実現されるもので、制御部１１で実行されるプログラムを予め記憶している。また、記憶部１３は、ユーザ情報記憶部１４、入札情報記憶部１５、及びデートプラン記憶部１６を有する。
【００２１】
ユーザ情報記憶部１４には、ユーザＩＤと、ニックネーム、年齢、電話番号、及びe-mailアドレス等の属性情報、並びに入札ＩＤ等が紐づけられて記憶されている。入札情報記憶部１５には、入札ＩＤと、入札者のユーザＩＤ、入札対象者のユーザＩＤ、デートプラン情報、プレゼント情報等が紐づけられて記憶されている。そして、デートプラン記憶部１６には、デートプランＩＤと、デートプランの詳細情報（例えば、時間帯、場所、イベント等）等が紐づけられて記憶されている。
【００２２】
このような構成において、制御部１１は、記憶部１３に記憶されているプログラムを実行することで、受付部１１ａ、入札処理部１１ｂ、決定部１１ｃ、評価部１１ｄ、送信部１１ｅ、及び決済部１１ｆとして機能する。
【００２３】
受付部１１ａは、デートプラン及び／又はプレゼントを含む入札を受け付ける。入札処理部１１ｂは、入札に係るデートプラン及び／又はプレゼントを含む入札情報を入札対象者に提示すべく表示データを生成又は更新する。この表示データは、例えばＨＴＭＬ形式等で生成等される。決定部１１ｃは、入札対象者の選択に基づいて落札者を決定する。評価部１１ｄは、この決定部１１ｃの決定を受けてデートプランを評価する。送信部１１ｅは、デートプラン及び／又はプレゼントの情報を含む入札情報に係る表示データ等を端末装置２，３に送信する。そして、決済部１１ｆは、決定部１１ｃによる決定を受けて電子決済を行う。
【００２４】
図３には、本発明の一実施形態に係る情報処理システムにおける端末装置の構成を示し説明する。尚、同図に示される構成は、入札者の端末装置２、入札対象者の端末装置３の双方共に同様の構成となっている。
【００２５】
同図に示されるように、端末装置２（３）は、全体の制御を司る制御部２１と、通信部２２と、操作部２３と、表示部２４と、記憶部２５とを有する。各部２１〜２５は、バスを介して通信自在に接続されている。
【００２６】
通信部２２は、例えば、ＮＩＣ等により実現されるもので、インターネット等の通信網４と有線又は無線で接続され、サーバ装置１等との間で通信を行う通信インタフェースである。操作部２３は、マウスやキーボード等で実現され、ユーザによる各種操作入力を受け付ける。表示部２４は、液晶ディスプレイ等により実現され、各種表示を行う。尚、操作部２３と表示部２４とをタッチパネルとして一体に構成してもよい。記憶部２５は、例えば、ＲＡＭやフラッシュメモリ等の半導体メモリ素子、ＨＤＤ、または光ディスク装置等で実現されるもので、制御部２１で実行されるプログラムを記憶している。
【００２７】
制御部２１は、ＣＰＵやＭＰＵ等で実現されており、記憶部２５に予め記憶されているプログラムを実行することで、送信部２１ａ、受信部２１ｂ、入力処理部２１ｃ、及び表示制御部２１ｄとして機能する。
【００２８】
送信部２１ａは、デートプランやプレゼントを含む入札情報を、通信部２２を介してサーバ装置１に送信する。受信部２１ｂは、入札の結果（落札情報）等を受信する。入力処理部２１ｃは、入力されたデートプラン等を含む入札情報を生成する。そして、表示制御部２１ｄは、サーバ装置１から送られてきたＨＴＭＬ形式等の表示データを表示部２４に表示するよう制御する。
【００２９】
以下、図４のフローチャートを参照して、本発明の一実施形態に係る情報処理システムの入札に係る一連の処理手順を説明する。ここでは、図５乃至図１０に示される各種画面表示例を適宜参照しつつ説明を進める。
【００３０】
入札者は端末装置２によりサーバ装置１の提供するＷｅｂサイトにアクセスし、Ｗｅｂページを閲覧する（Ｓ１）。端末装置２では、受信部２１ｂが、サーバ装置１から送信されるＨＴＭＬ形式等の表示データを受信し、表示制御部２１ｄの制御の下、表示部２４にＷｅｂページを表示することになる。
【００３１】
具体的には、図５に示されるような画面を参照し、入札対象者の選定を行う。図５の画面１００では、入札対象者ごとに領域が区切られており、領域１００ａには画像が表示され、領域１００ｂには現在の最高デート応募額が表示され、領域１００ｃには入札対象者の属性情報として、ニックネームと、年齢と、電話番号（認証の有無）と、e-mailアドレス（認証の有無）とが表示されている。
【００３２】
そして、図５の画面１００でボタン１００ｄを選択すると、図６に示される画面１０１に切り換わる。画面１０１では、領域１０１ａには図５と同様の当該入札対象者に係る情報が表示され、領域１０１ｂには、既に入札されているデートプランの入札者、デート応募額、デートプラン詳細が表示される。この画面１０１において、ボタン１０１ｃが選択されると、申し込み対象が特定される（Ｓ２）。
【００３３】
画面１０１でボタン１０１ｃが選択されると、図７に示される画面１０２に画面が切り替わる。画面１０２では、領域１０２ａのゲージを動かすことでデートの応募額を設定できるようになっており、領域１０２ｂではボタンを選択すると、図８に示されるようなポップアップ画面１０３が表示され、支払方法を選択できるようになっている。
【００３４】
画面１０２でボタン１０２ｃを選択すると、図９に示されるような画面１０４に切り替わり、入札対象者の欲しがっているプレゼントの一覧を確認し、選択できるようになっている。画面１０２の領域１０２ｄでは、入札に関わるデートプランをテキストデータで入力できるようになっており、画面１０２の領域１０２ｅのボタンが選択されると、図１０に示されるようなポップアップ画面１０５が表示され、テンプレートからデートプランを選べるようになっている。
【００３５】
こうして、各種選択又は入力を完了し、ボタン１０２ｆが選択されると、端末装置２は送信部２１ａが申込確定、即ち入札に係る指示をサーバ装置１に送信する（Ｓ３）。サーバ装置１では、受付け部１１ａが、この入札に係る指示を受付け、入札処理部１１ｂが入札情報を入札者や入札対象者のユーザＩＤと紐づけて記憶部１３の入札情報記憶部１５に登録する。こうして、入札に係る一連の処理を終了する。
【００３６】
図１１のフローチャートを参照して、本発明の一実施形態に係る情報処理システムの落札決定に係る一連の処理手順を説明する。
【００３７】
入札対象者は、端末装置３でサーバ装置１の提供するＷｅｂサイトにアクセスし、Ｗｅｂページ（例えば、マイページ）を閲覧する（Ｓ１１）。このとき、端末装置３では、受信部２１ｂがサーバ装置１からのＨＴＭＬ形式等の表示データを受信し、表示制御部２１ｄの制御の下、表示部２４にＷｅｂページを表示する。
【００３８】
このＷｅｂページでは、入札されたデートプラン一覧を確認することができる。入札対象者の端末装置３により、このデートプランの中から承諾するデートプランが、操作部２３の操作により選択されると（Ｓ１２）、端末装置３の送信部２１ａは、決定通知をサーバ装置１に送信する（Ｓ１３）。
【００３９】
サーバ装置１では、受付部１１ａが、この端末装置３からの決定通知を受付け、決定部１１ｃが落札決定を行い、入札処理部１１ｂが、入札情報記憶部１５の入札情報を更新する（Ｓ１４）。より具体的には、入札処理部１１ｂは、決定部１１ｃの決定に基づいて入札情報に含まれる入札の可否に係るステータスを更新する（入札から落札へ）。
【００４０】
続いて、評価部１１ｄは、落札決定に基づいて、落札者の評価を行い、評価内容を更新する（Ｓ１５）。より具体的には、例えば、１回落札するたびに、ユーザに対して所定のポイントを付与する等のルールに基づいて、ユーザの評価ポイントの更新を行う。この評価ポイントは、ユーザ情報記憶部１４にユーザＩＤと紐付けられて記憶されている。
【００４１】
続いて、サーバ装置１では、送信部１１ｅが、落札通知を入札者の端末装置２に送信する（Ｓ１６）。この通知は、例えば当該通知内容を含むＨＴＭＬ形式等の表示データの送信としてよい。入札者の端末装置２では、受信部２１ｂが、表示データを受信し、表示制御部２１ｄの制御の下、表示部２４に落札通知を含む画面を表示する（Ｓ１７）。入札者の端末装置２で、操作部２３が操作されることで、決済指示がなされると（Ｓ１８）、サーバ装置１は、その指示に基づいて、決済部１１ｆが電子決済を行う。この決済は、例えば、入札に際して、プレゼントの贈答が選択されていた場合等に実行される処理である。こうして、落札決定から決済までの一連の処理を終了する。
【００４２】
前述したように、評価部１１ｄは、ユーザごとに、１回落札するたびに、ユーザに対して所定のポイントを付与する等のルールに基づいて、ユーザの評価ポイントの更新を行っているので、評価ポイントの高い順にユーザ（入札者側）をランキングして提示することも可能である。また、評価部１１ｄは、入札の数やその成立率等も評価可能であり、その場合には、入札数の多いユーザ（入札対象者側）、或いは成立率の高いユーザ（入札対象者側）をランキングして提示することも可能である。
【００４３】
さらに、成立したデートプランを記憶部１３のデートプラン記憶部１６に蓄積することで、入札に際して、テンプレートとしてユーザ（入札者側）に提示し、参考、あるいは選択できるようにしてもよい。そして、デートプランＩＤと紐づけて、デートプラン毎に成約数を併せて記憶しておけば、より人気のあるデートプランを特定することができ、デートプランについても、成約数に基づきランキングすることができる。
【００４４】
最後に、入札者を示す画面の表示例は、図１２に示される通りである。
【００４５】
図１２の画面１０６では、入札者ごとに領域が区切られており、領域１０６ａには画像が表示され、領域１０６ｂには現在の最高デート入札額が表示され、領域１０６ｃには入札対象者の属性情報として、ニックネームと、年齢と、電話番号と、e-mailアドレスとが表示されている。これら情報と併せて、ユーザ情報記憶部１４に記憶されているデートの申し込み数等を表示するようにしてもよい。さらに、画面１０６でボタン１０６ｄが選択された場合に、不図示の詳細画面に移行し、ユーザ情報記憶部１４に記憶されている当該入札者が過去に申込したデートプランやその落札の可否を表示し、当該入札者の過去の実績を確認できるようにしている。
【００４６】
以上説明したように、本発明の実施形態によれば、以下の効果が奏される。
【００４７】
デートプランを作成又は選択し、当該デートプランを伴う入札を行うことができ、入札対象者は、当該デートプランに基づいて落札の可否を判断できるので、デートプランを媒介とした恋愛のマッチングを促進することができる。
【００４８】
さらに、落札数等に基づいて、ユーザを評価することができるので、落札数に基づくユーザのランキング等を可能となり、入札対象者は、入札者のランキングや過去の実績、評価に基づいて安心して落札決定を行うことができる。また、入札対象者についても、デートプランを伴う入札の入札数（申し込み数）や、その成立率等もユーザ情報記憶部１４に記憶されているので、それら情報に基づくランキングや情報提示も可能となり、入札者が入札に際して参考とすることが可能となる。
【００４９】
以上、本発明の実施形態について説明したが、本発明は、これに特に限定されることなく、その趣旨を逸脱しない範囲で種々の改良・変更が可能であることは勿論である。
【００５０】
例えば、上記実施形態では、女性を入札対象者として説明したが、これに限定されることなく、男性を入札対象者としてもよい。また、デートプラン記憶部１６に記憶するデートプランをカテゴライズして、カテゴリを併せて記憶しておけば、テンプレートを参照してデートプランを特定するときに、選定した入札対象者の趣味、嗜好にマッチしたデートプランをより好適に選定することが可能となる。
【符号の説明】
【００５１】
１…サーバ装置、２…端末装置（入札者）、３…端末装置（申し込み対象者）、４…通信網、１１…制御部、１１ａ…受付部、１１ｂ…入札処理部、１１ｃ…決定部、１１ｄ…評価部、１１ｅ…送信部、１１ｆ…決済部、１２…通信部、１３…記憶部、１４…ユーザ情報記憶部、１５…入札情報記憶部、１６…デートプラン記憶部、２１…制御部、２１ａ…送信部、２１ｂ…受信部、２１ｃ…入力処理部、２１ｄ…表示制御部、２２…通信部、２３…操作部、２４…表示部、２５…記憶部。
【図１】
2020098397.tif 000003
【図２】
2020098397.tif 000004
【図３】
2020098397.tif 000005
【図４】
2020098397.tif 000006
【図５】
2020098397.tif 000007
【図６】
2020098397.tif 000008
【図７】
2020098397.tif 000009
【図８】
2020098397.tif 000010
【図９】
2020098397.tif 000011
【図１０】
2020098397.tif 000012
【図１１】
2020098397.tif 000013
【図１２】
2020098397.tif 000014
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
入札者から前記入札者が立案又は選択したデートプランを含む入札を受け付ける受付部と、
全ての入札者による前記入札に係る前記デートプランを入札対象者に提示する入札処理部と、
前記入札対象者の選択した前記デートプランを立案又は選択した入札者を落札者と決定する決定部と、
前記決定を受けて落札数に基づき前記入札者を評価する評価部と、を備えた
サーバ装置。
【請求項２】
前記受付部は、プレゼントの提供を含む入札を受け付け、
前記入札処理部は、前記プレゼントの提供を入札対象者に提示することを特徴とする
請求項１に記載のサーバ装置。
【請求項３】
前記決定部による決定を受けて電子決済を行う決済部を更に備えた
請求項１又は請求項２に記載のサーバ装置。
【請求項４】
入札者の端末装置と、入札対象者の端末装置と、サーバ装置と、からなる情報処理システムであって、
前記サーバ装置は、
入札者から前記入札者が立案又は選択したデートプランを含む入札を受け付ける受付部と、
全ての入札者による前記入札に係る前記デートプランを入札対象者に提示する入札処理部と、
前記入札対象者の選択した前記デートプランを立案又は選択した入札者を落札者と決定する決定部と、
前記決定を受けて落札数に基づき前記入札者を評価する評価部と、を備える
情報処理システム。
【請求項５】
前記受付部は、プレゼントの提供を含む入札を受け付け、
前記入札処理部は、前記プレゼントの提供を入札対象者に提示することを特徴とする
請求項４に記載の情報処理システム。
【請求項６】
前記決定部による決定を受けて電子決済を行う決済部を更に備えた
請求項４又は請求項５に記載の情報処理システム。
【請求項７】
入札者の端末装置と、入札対象者の端末装置と、サーバ装置と、からなる情報処理システムによる方法であって、
前記サーバ装置が、
入札者から前記入札者が立案又は選択したデートプランを含む入札を受け付け、
全ての入札者による前記入札に係る前記デートプランを入札対象者に提示し、、
前記入札対象者の選択した前記デートプランを立案又は選択した入札者を落札者と決定し、
前記決定を受けて落札数に基づき前記入札者を評価する
情報処理方法。
【請求項８】
コンピュータを、
入札者から前記入札者が立案又は選択したデートプランを含む入札を受け付ける受付部と、
全ての入札者による前記入札に係る前記デートプランを入札対象者に提示する入札処理部と、
前記入札対象者の選択した前記デートプランを立案又は選択した入札者を落札者と決定する決定部と、
前記決定を受けて落札数に基づき前記入札者を評価する評価部と、して機能させる
プログラム。
【手続補正２】
【補正対象書類名】明細書
【補正対象項目名】０００７
【補正方法】変更
【補正の内容】
【０００７】
上記課題を解決するため、本発明の一態様に係るサーバ装置は、入札者から前記入札者が立案又は選択したデートプランを含む入札を受け付ける受付部と、全ての入札者による前記入札に係る前記デートプランを入札対象者に提示する入札処理部と、前記入札対象者の選択した前記デートプランを立案又は選択した入札者を落札者と決定する決定部と、前記決定を受けて落札数に基づき前記入札者を評価する評価部と、を備えている。
【手続補正３】
【補正対象書類名】明細書
【補正対象項目名】０００８
【補正方法】変更
【補正の内容】
【０００８】
本発明の他の態様に係る情報処理システムは、入札者の端末装置と、入札対象者の端末装置と、サーバ装置と、からなる情報処理システムであって、前記サーバ装置は、入札者から前記入札者が立案又は選択したデートプランを含む入札を受け付ける受付部と、全ての入札者による前記入札に係る前記デートプランを入札対象者に提示する入札処理部と、前記入札対象者の選択した前記デートプランを立案又は選択した入札者を落札者と決定する決定部と、前記決定を受けて落札数に基づき前記入札者を評価する評価部と、を備えている。
【手続補正４】
【補正対象書類名】明細書
【補正対象項目名】０００９
【補正方法】変更
【補正の内容】
【０００９】
本発明の他の態様に係る情報処理方法は、入札者の端末装置と、入札対象者の端末装置と、サーバ装置と、からなる情報処理システムによる方法であって、前記サーバ装置が、入札者から前記入札者が立案又は選択したデートプランを含む入札を受け付け、全ての入札者による前記入札に係る前記デートプランを入札対象者に提示し、前記入札対象者の選択した前記デートプランを立案又は選択した入札者を落札者と決定し、前記決定を受けて落札数に基づき前記入札者を評価する。
【手続補正５】
【補正対象書類名】明細書
【補正対象項目名】００１０
【補正方法】変更
【補正の内容】
【００１０】
本発明の他の態様に係るプログラムは、コンピュータを、入札者から前記入札者が立案又は選択したデートプランを含む入札を受け付ける受付部と、全ての入札者による前記入札に係る前記デートプランを入札対象者に提示する入札処理部と、前記入札対象者の選択した前記デートプランを立案又は選択した入札者を落札者と決定する決定部と、前記決定を受けて落札数に基づき前記入札者を評価する評価部と、して機能させる。